(57)【要約】      （修正有）【課題】交換に要する費用を低減する食品陳列トレイ用覆蓋及びそのキットを提供する。【解決手段】食品陳列トレイ１０用の覆蓋１２及びそのキットは、食品取出し用の開口を有する主蓋部材１４と、主蓋部材１４に揺動可能に取り付けられる、主蓋部材１４の開口を開閉する副蓋部材１６とを備える。主蓋部材１４及び副蓋部材１６はそれぞれ真空成形された透明なプラスチックフィルムからなり、それぞれ２つの軸受４０及び両軸受４０にそれぞれ回転可能に受け入れられた２つの軸４２を有する。【選択図】図１
0003212537.tif 000002
【実用新案登録請求の範囲】
【請求項１】
食品陳列トレイ用の覆蓋であって、
食品取出し用の開口を有する主蓋部材と、該主蓋部材に揺動可能に取り付けられた、前記主蓋部材の開口を開閉する副蓋部材とを備え、
前記主蓋部材及び前記副蓋部材はそれぞれ真空成形された透明なプラスチックフィルムからなる、覆蓋。
【請求項２】
前記主蓋部材及び前記副蓋部材は、それぞれ、２つの軸受及び両軸受にそれぞれ回転可能に受け入れられた２つの軸を有する、請求項１に記載の覆蓋。
【請求項３】
前記主蓋部材は複数の穴を有し、前記副蓋部材は帯片と該帯片に設けられ、前記主蓋部材の複数の穴に対してそれぞれ締り嵌めの状態で受け入れられた複数の軸とを有する、請求項１に記載の覆蓋。
【請求項４】
食品陳列トレイ用の覆蓋のキットであって、
食品取出し用の開口を有する主蓋部材と、該主蓋部材に揺動可能に取り付けられる、前記主蓋部材の開口を開閉する副蓋部材とを備え、
前記主蓋部材及び前記副蓋部材はそれぞれ真空成形された透明なプラスチックフィルムからなる、覆蓋のキット。
【請求項５】
前記主蓋部材及び前記副蓋部材は、それぞれ、２つの軸受及び両軸受にそれぞれ回転可能に受け入れられた２つの軸を有する、請求項４に記載の覆蓋のキット。
【請求項６】
前記主蓋部材は複数の穴を有し、前記副蓋部材は帯片と該帯片に設けられ、前記主蓋部材の複数の穴に対してそれぞれ締り嵌めの状態で受け入れられる複数の軸とを有する、請求項４に記載のキット。
【考案の詳細な説明】
【技術分野】
【０００１】
本考案は、食品陳列トレイに適用される覆蓋及びそのキットに関する。
【背景技術】
【０００２】
スーパーマーケットや百貨店の食品売り場では、煮物、揚げ物、漬物、サラダ等からなる惣菜や寿司のような食品の販売のためにこれをトレイ（食品陳列トレイ）に盛ってあるいは載せて陳列することが行われている。また、陳列に際して、トレイ上の食品の乾燥や、空気中の塵埃の付着等を防止するために、トレイを透明なプラスチック製の蓋で覆うことが行われている（後記特許文献１参照）。
【０００３】
ところで、従来、透明なプラスチック製の蓋には、使用の間にその表面に付く傷のためにその透明性が損なわれ、食品の陳列効果が低下するという問題があった。この問題は、蓋を新しいものと交換することにより解消されるが、これには比較的多大の費用の発生を余儀なくされる。
【先行技術文献】
【特許文献】
【０００４】
【特許文献１】実用新案登録第３１３０９３８号公報
【考案の概要】
【考案が解決しようとする課題】
【０００５】
したがって、本考案の目的は、前記従来の問題に鑑み、交換に要する費用の低減に寄与する食品陳列トレイ用の覆蓋及びそのキットを提供することにある。
【課題を解決するための手段】
【０００６】
本考案に係る食品陳列トレイ用の覆蓋は、食品取出し用の開口を有する主蓋部材と、該主蓋部材に揺動可能に取り付けられた、前記主蓋部材の開口を開閉する副蓋部材とを備え、前記主蓋部材及び前記副蓋部材はそれぞれ真空成形された透明なプラスチックフィルムからなる。
【０００７】
また、前記食品陳列トレイ用の覆蓋のキットは、食品取出し用の開口を有する主蓋部材と、該主蓋部材に揺動可能に取り付けられる、前記主蓋部材の開口を開閉する副蓋部材とを備え、前記主蓋部材及び前記副蓋部材はそれぞれ真空成形された透明なプラスチックフィルムからなる。
【０００８】
本考案によれば、覆蓋を構成する主蓋部材と副蓋部材とが真空成形された透明なプラスチックフィルムからなることから、その製造に要する費用を比較的低廉に抑えることができ、また、前記覆蓋の交換に要する費用の低減を図ることができる。前記食品陳列トレイに載せられまた前記覆蓋で覆われた食品は前記副蓋部材を揺動させ、これにより前記主蓋部材の開口の開くことにより該開口を通して取り出すことができる。また、前記開口を閉めることにより、前記開口を通しての空気中の塵埃の侵入の機会、食品の乾燥の機会等を制限することができる。本考案に係る覆蓋のキットは、ユーザーの側において、前記主蓋部材に前記副蓋部材を取り付けることにより前記覆蓋に組み立てることができ、これにより、前記覆蓋の組立に要する費用の削減を図ることができる。
【０００９】
食品陳列トレイ用の覆蓋にあっては、前記主蓋部材及び前記副蓋部材がそれぞれ２つの軸受及び両軸受にそれぞれ回転可能に受け入れられた２つの軸を有するものとし、あるいは前記主蓋部材が複数の穴を有し、前記副蓋部材が帯片と該帯片に設けられ、前記主蓋部材の複数の穴に対してそれぞれ締り嵌めの状態で受け入れられた複数の軸とを有するものとすることができる。
【００１０】
また、前記食品陳列トレイ用の覆蓋のキットにあっては、前記主蓋部材及び前記副蓋部材がそれぞれ２つの軸受及び両軸受にそれぞれ回転可能に受け入れられる２つの軸を有するものとし、あるいは前記主蓋部材が複数の穴を有し、前記副蓋部材が帯片と該帯片に設けられ、前記主蓋部材の複数の穴に対してそれぞれ締り嵌めの状態で受け入れられる複数の軸とを有するものとすることができる。
【図面の簡単な説明】
【００１１】
【図１】食品陳列トレイと一の実施の形態に係る覆蓋とを示す、一部を切り欠いて示す斜視図である。
【図２】食品陳列トレイ上に載せられた図１に示す覆蓋の斜視図である。
【図３】主蓋部材の開口を開けた状態にある、図１に示す覆蓋の斜視図である。
【図４】互いに分離された状態にある主蓋部材及び副蓋部材からなる、図１に示す覆蓋のキットの斜視図である。
【図５】（ａ）は一対の軸が水平状態にある副蓋部材の斜視図であり、（ｂ）は一対の軸が水平状態から垂直な状態にされた副蓋部材の斜視図である。
【図６】食品陳列トレイ上に載せられた他の実施の形態に係る覆蓋の斜視図である。
【図７】主蓋部材の開口を開けた状態にある、図６に示す覆蓋の斜視図である。
【図８】互いに分離された状態にある主蓋部材及び副蓋部材からなる、図６に示す覆蓋のキットの斜視図である。
【考案を実施するための形態】
【００１２】
図１を参照すると、食品陳列トレイ（以下、単に「トレイ」と称する。）１０に載せられこれを覆う蓋として用いられる覆蓋が全体に符号１２で示されている。
【００１３】
トレイ１０は、スーパーマーケットのような店舗での販売に供される商品の一つである惣菜や寿司のような食品を盛りあるいは載せるために用いられる。トレイ１０は、通常３〜５ｍｍの厚さ寸法（板厚）を有するプラスチック成形品、陶器等からなる。トレイ１０上に盛られ又は載せられた食品は、その陳列のために、店舗内におかれた陳列棚の上や冷蔵オープンケース内に置かれる。
【００１４】
覆蓋１２は主蓋部材１４と副蓋部材１６とを備える。覆蓋１２は、副蓋部材１６が主蓋部材１４に揺動可能に取り付けられた組立品又は完成品（図１〜図３）として、又は、図４に示すような、主蓋部材１４と該主蓋部材に取り付けられる副蓋部材１６とを構成部品とするキット１８（図４）として提供される。
【００１５】
主蓋部材１４及び副蓋部材１６は、それぞれ、真空成形された透明なプラスチックフィルムからなり、主蓋部材１４及び副蓋部材１６を通して、これらの内部の食品すなわちトレイ１０上の食品を見ることができる。前記プラスチックフィルムは、好ましくは、ポリエチレンテレフタレート樹脂（ＰＥＴ）やポリスチレン樹脂（ＰＳ）からなり、また、０．３〜０．８ｍｍの厚さ寸法を有する。前記プラスチックフィルムの真空成形により、主蓋部材１４及び副蓋部材１６を比較的安価に製造することができる。このため、使用の間に表面に傷がつき、その透明性が低下した主蓋部材１４及び副蓋部材１６の双方又は一方の交換に要する費用を最小限に抑えることができる。
【００１６】
主蓋部材１４は、食品取出し用の開口２０（図３）を有し、主蓋部材１４に取り付けられた副蓋部材１６を揺動させることにより主蓋部材１４の開口２０の開閉することができる。トレイ１０上に載せられまた覆蓋１２で覆われた食品は、副蓋部材１６を揺動させて主蓋部材１４の開口２０を開けることにより、開口２０を通して取り出すことができる。また、副蓋部材１６を反対方向に揺動させて主蓋部材１４の開口２０を閉めることにより、開口２０を通しての空気中の塵埃の侵入の機会、食品の乾燥の機会等を制限することができる。
【００１７】
図３に示すように、主蓋部材１４は、全体に扁平な直方体から直角三角柱状の立体を切り欠いてなる立体形状を有し、矩形状を呈する開放底部２２と、該開放底部に相対する矩形状の頂部２４及び該頂部に連なる矩形状の傾斜部２６とを有する。開口２０は傾斜部２６に開放しており、矩形の平面形状を有する。
【００１８】
主蓋部材１４は、その開放底部２２において、トレイ１０の周縁部２８（図２参照）上に着座可能である。主蓋部材１４は、好ましくは、その開放底部２２に直交するつば３０を有する。つば３０は、主蓋部材１４がその開放底部２２においてトレイ１０上に着座したとき、トレイ１０の周縁部２８の周囲を取り巻き、主蓋部材１４がトレイ１０上を移動しないようにする。
【００１９】
他方、副蓋部材１６は、図２に示すように、前記扁平な直方体から切り欠かれた前記立体とほぼ同形の立体形状、すなわち直角三角柱の立体形状を有する。副蓋部材１６は、主蓋部材１４の傾斜部２６に相対する矩形状の開放底部３２と、開口２０を被覆可能である、開放底部３２に相対する矩形状の頂部３４とを有する。副蓋部材１６は、その開放底部３２において主蓋部材１４の傾斜部２６上に着座し、開口２０を閉じる。このとき、主蓋部材１４の頂部２４と副蓋部材１６の頂部３４とはほぼ同一の平面上に位置する。
【００２０】
図３及び図４に示すように、主蓋部材１４及び副蓋部材１６はそれぞれ、互いに隣接する、湾曲面からなる細長い凹部３６及び該凹部内に受け入れられる凸部３８を有する。主蓋部材１４の凹部３６は頂部２４に連なり、また、副蓋部材１６の凸部３８は頂部３４及び開放底部３２に連なる。
【００２１】
主蓋部材１４及び副蓋部材１６は、それぞれ、２つの軸受４０及び該軸受にそれぞれ回転可能に支承される２つの軸４２を有する。
【００２２】
主蓋部材１４の両軸受４０は頂部２４に形成され、凹部３６の両側に位置する。各軸受４０はその横断面で見て１８０度を超える円周角を有する円筒面の一部を有する。
【００２３】
副蓋部材１６の両軸４２はそれぞれ凸部３８の両側に位置する。両軸４２は、図５（ａ）に示すように、副蓋部材１６の開放底部３２に連なる２つの板片４４の一部を成形してなる一端閉鎖の円筒体からなる。両円筒体は、図５（ｂ）に示すように、開放底部３２と両板片４４との境界に形成された二条の細溝４６に沿って両板片４４をそれぞれ垂直に折り曲げることにより、凸部３８の両側に位置する両軸４２とされる。
【００２４】
各軸４２は、これを各軸受４０にその上方から押し付けることにより、軸受４０の弾性変形及び弾性復帰を経て、軸受４０にこれと同軸にまた抜け出ないようにかつ回転可能に受け入れられる。これにより、副蓋部材１６が主蓋部材１４に対して揺動可能とされている。
【００２５】
主蓋部材１４に対して副蓋部材１６を揺動させることにより、主蓋部材１４の開口２０が開閉される。副蓋部材１６は、開口２０を閉じた状態から約９０度の角度を回転し、主蓋部材１４に突き当たって止まり、開口２０を開いた状態に維持される(図３参照)。副蓋部材１６の回転操作の便宜のため、図示の例では、副蓋部材１６に取手４８が設けられている。
【００２６】
覆蓋１２及びそのキット１８について、主蓋部材１４に副蓋部材１６を揺動可能に取り付ける手段としてこれを２つの軸受４０及び２つの軸４２とする前記した例に代えて、図６〜図８に示す複数（図示の例においては３つ）の穴５０及び複数（同３つ）の軸５２とすることができる。
【００２７】
図６〜図８に示す覆蓋１２（図６及び図７）の組立品及びそのキット１８（図８）の主蓋部材１４及び副蓋部材１６は、図１〜図５に示す主蓋部材１４及び副蓋部材１６における軸受４０及び軸４２を設けるための凹部３６及び凸部３８を有しない。
【００２８】
複数の穴５０及び複数の軸５２は、それぞれ、主蓋部材１４の頂部２４と副蓋部材１６の頂部３４との境界に沿って配置されている。複数の穴５０は主蓋部材１４の頂部２４に形成されている。また、複数の軸５２は副蓋部材１６の開放底部３２に連なる帯片５４に形成されている。図示の例にあっては、複数の軸５２は、それぞれ、帯片５４を成形してなる一端閉鎖の円筒体からなる。
【００２９】
副蓋部材１６の帯片５４は、副蓋部材１６がその開放底部３２において主蓋部材１４の傾斜部２６上に着座するとき、主蓋部材１４の頂部２４上に位置し（図６参照）、複数の軸５２がそれぞれ複数の穴５０上に位置する。複数の軸５２はそれぞれこれらを複数の穴５０に押し込むことにより複数数の穴５０に締り嵌めの状態で受け入れられる。その結果、副蓋部材１６が帯片５４を介して主蓋部材１４に揺動可能に取り付けられる。
【符号の説明】
【００３０】
１０  食品陳列トレイ
１２  覆蓋
１４  主蓋部材
１６  副蓋部材
１８  キット
２０  開口
４０  軸受
４２  軸
５０  穴
５２  軸
５４  帯片
【図１】
0003212537.tif 000003
【図２】
0003212537.tif 000004
【図３】
0003212537.tif 000005
【図４】
0003212537.tif 000006
【図５】
0003212537.tif 000007
【図６】
0003212537.tif 000008
【図７】
0003212537.tif 000009
【図８】
0003212537.tif 000010